(57)【特許請求の範囲】
【請求項１】
方形状で有底短筒状の中皿本体（7a）の内側側壁（9）下部から底面（10）に向かい、底面（10）との境界線（11）を越えてやや内方を終端（13）とする縦溝（12）を、該内側側壁（9）の各辺毎に複数並列に配設し、さらに角部四隅には対角線上に、内側側壁（9）上部から前記縦溝（12）の終端（13）より内方の底面に終端（14）を形成した縦突条（15）を突設し、前記縦溝（12）の溝幅は、パフと該縦溝内の接触面積が大きくできる広幅に形成したことを特徴とするコンパクト容器の中皿。
【発明の詳細な説明】
【０００１】
【発明の属する技術分野】
本発明は、固形化粧料等を内部に収納するコンパクト容器の中皿に関するものである。
【０００２】
【従来の技術】
従来の特許文献１には、側壁内周面に複数の凹溝が底壁に到達することなく側壁内周面の下端で終端するように構成し、凹溝内に化粧料を嵌入させて保持性を高め、中身くずれ剥離を防止し、パフによる化粧料の取り残しが生じないようにすることが記載されている。
また、特許文献２には、容器本体の内側底面に複数の凹部を設け、この凹部に化粧料を入り込ませ、容器本体と化粧料との接触面積を増加させ、摩擦係合力を増加させて化粧料の移動を防止し，化粧料の剥離等を生じさせないで最後まで化粧料を使用可能にしたものである。また、凸部は化粧料が回転方向に移動しようとする場合、この凸部と化粧料との摩擦係合力によって回転を防止することが記載されている。
【０００３】
【特許文献１】
実用新案登録第２５１４０９９号公報（第２頁、図1、2、３）
【特許文献２】
特開平１１−１８８２８号公報（第２−４頁、図６）
【０００４】
【発明が解決しようとする課題】
上記従来技術では、特許文献１の場合は、側壁内周面である一面に複数の凹溝が底壁に到達することなく側壁内周面の下端で終端するように構成したものであり、該凹溝内に化粧料を嵌入させて保持性を高め、中身くずれや剥離を防止しているが、必ずしも満足できないという問題点があり、前記従来技術の構成では複数の凹溝内に化粧料が多く残存するという問題点がある。
また、特許文献２は、容器本体の内側底面である一面に複数の凹部を設け、この凹部に化粧料を入り込ませて容器本体と化粧料との接触面積を増加させ、凸部は化粧料が回転方向に移動するのを防止して化粧料の剥離等を防止しているが、必ずしも満足できないという問題点があり、前記従来技術では内側底面の複数の凹部や凸部に化粧料が多く残存するという問題点がある
本発明は、上述した問題点に鑑みて創案されたもので、中皿本体内の化粧料の残存量を減少化可能とし、さらには化粧料の保持性を高めることが可能なコンパクト容器の中皿の提供を目的とする。
【０００５】
【課題を解決するための手段】
上記従来技術の課題を解決するための手投として、請求項1の発明に係るコンパクト容器の中皿は、
方形状で有底短筒状の中皿本体（7a）の内側側壁（9）下部から底面（10）に向かい、底面（10）との境界線（11）を越えてやや内方を終端（13）とする縦溝（12）を、該内側側壁（9）の各辺毎に複数並列に配設し、さらに角部四隅には対角線上に、内側側壁（9）上部から前記縦溝（12）の終端（13）より内方の底面に終端（14）を形成した縦突条（15）を突設し、前記縦溝（12）の溝幅は、パフと該縦溝内の接触面積が大きくできる広幅に形成したことを特徴としている。
【０００６】
上記構成により、縦溝をパフと縦溝内の接触面積が大きくなる幅広に形成したことにより、この縦溝における化粧料の残存量を減少させることができる。
中皿本体の内側側壁の各辺毎に該内側側壁下部から底面に向かい縦溝を複数並列して配設したことにより、中皿本体の内部に収納された化粧料の一部はこの縦溝内に入り込み、化粧料の粘性との相乗効果で中皿本体と化粧料との接触面積を増加させることで、摩擦係合力を増加させて化粧料の移動を防止し，高い保持性を発揮して化粧料の剥離や中くずれ等を防止する。
さらに、中皿本体の内側面であって、角部四隅には対角線上に、内側側壁上部から前記縦溝の終端より内方の底面に終端を形成した縦突条を設けたことにより、化粧料は回転方向に移動しようとする場合、この縦突条と化粧料との摩擦係合力によって回転移動が阻止される。
また、角部四隅付近は縦溝と、この縦溝より終端が底面内方に配置され、かつ対角線上に配設された所定角度の縦突条とにより摩擦係合力を倍化させ、化粧料の剥離や回転移動を防止する。
【０００７】
【発明の実施の形態】
図１から図５により本発明の一実施例を説明する。
本発明のコンパクト容器1は、図１のように、一側に蓋体2aを開閉自在に蝶番結合した有底短筒状の、底壁6を有する外枠体2と、中皿収納部4及び用具収納部5を有し、該底壁6上に収納される中枠体3と、固形化粧料を収納する中皿７と、からなっている。
【０００8】
中皿７の中皿本体７aは、合成樹脂により平面形状が方形状で有底短筒状に製作され、内側側壁９下部から底面10にかけては円弧状に形成し、パフ等による化粧料の取り残しが生じないようにしている。
また、平面形状が方形状の中皿本体7の内側側壁9下部から底面10に向かい、底面10との境界線11を越えてやや内方を終端13とする、0．2ｍｍ程度の深さの縦溝12が複数並列に配設されている。
中皿本体7aの内側側壁9下部から底面10に向かい縦溝12を複数並列して配設したことにより、中皿本体7aの内部に収納されたファンデーション等の化粧料の一部はこの縦溝12内に入り込み、化粧料の粘性との相乗効果で中皿本体7
aと化粧料との接触面積を増加させることで、摩擦係合力を増加させて化粧料の移動を防止し，高い保持性を発揮して化粧料の剥離や中くずれ等を防止する。
この縦溝12は、化粧料を嵌入させた時高い保持性を確保するため、図４のように、対向する内側側面から底面にかけて対称位置に縦方向に同数の縦溝12を並列に配設するのがよい。
なお、縦溝12の深さや面積、縦溝12と縦溝12との間隔は、中皿本体7aの大きさ、形状、収納する化粧料の性状により自由に決定される。
【０００９】
また、角部四隅には対角線上に、内側側壁９上部から前記縦溝12の終端13より内方の底面に終端14を形成した、0．2ｍｍ程度の高さの縦突条15が突設されている。
この縦突条15は、中皿本体7a内の化粧料に回転力が加わり、回転方向に移動しようとする場合、この縦突条15と化粧料との摩擦係合力によって回転移動が阻止される。
また、角部四隅付近は縦溝12と、この縦溝12より終端14が底面内方に配置され、かつ対角線上に配設された所定角度の縦突条15とにより摩擦係合力を増加させ、化粧料の剥離や回転移動を防止する。
中皿本体7aに収納された化粧料は、縦突条15部分ではパフによる取り残しが極力少なく、縦溝12の隅部分にはわずかの量残存するだけとなる。
なお、縦突条15及び縦溝12は、化粧料を取り去るパフを傷めることはない。
また、中皿本体7aの内側底面10に表面を皺状にするシボ加工を施してもよい。表面を皺状にするシボ加工を施した場合は、化粧料は該皺に入り込み、中皿本体7aと化粧料との摩擦係合力を増加させ、化粧料の剥離や回転移動を防止することができる。
さらに、縦溝12の溝幅を広幅に形成した場合は、パフとの接触面積は大きくなり、化粧料はパフによりほとんど無くなる。従って、この縦溝12に残存する化粧料を極力減少させることができる。
【００１０】
【発明の効果】
上記構成の本発明によれば、以下の効果を奏するものである。
本発明により、縦溝の溝幅をパフと縦溝内の接触面積が大きくできる広幅に形成したため、化粧料はパフによる取り残しが微量となり、中皿内に残る化粧料の残存量を減少させることができる。
また、中皿本体内に収納された化粧料の回転や移動を防止でき、かつ化粧料の中くずれや剥離等を防止でき、中皿本体内に収納された化粧料は最後まで使用可能となる。
すなわち、側壁内周面に複数の凹溝を設け、該凹溝内に化粧料を嵌入させ移動を防止する場合、容器本体の内側底面に複数の凹部を設け、この凹部に化粧料を入り込ませて回転を防止する場合の両者の良い点を兼ね備え、極めて優れた効果を発揮するものである。
さらに、化粧料は、角部四隅に配置された縦突条付近では残存せず、縦溝の隅部分に微量残存する程度となる。従って、中皿本体内に収納された化粧料の残存量をより減少させることができる。
【図面の簡単な説明】
【図１】本発明の実施例を示した、コンパクト容器の分解斜視図である。
【図２】本発明の実施例を示した、中皿本体の拡大斜視図である。
【図３】本発明の実施例の要部断面図である。
【図４】本発明の実施例を示した、中皿本体の平面図である。
【図５】本発明の実施例を示した、縦溝を配設した内側側壁の拡大斜視図である。
【符号の説明】
1      コンパクト容器
2      外枠体
2a      蓋体
3      中枠体
4      中皿収納部
5      用具収納部
6      底壁
7      中皿
7a    中皿本体
8      側壁
9      内側側壁
10      底面
11      境界線
12      縦溝
13、14  終端
15      縦突条
【図１】
0004196168.tif 000002
【図２】
0004196168.tif 000003
【図３】
0004196168.tif 000004
【図４】
0004196168.tif 000005
【図５】
0004196168.tif 000006